(57)【要約】【課題】階段状をなす枠体であっても室内側から障子を取り付けることが可能な建具および建具の取付方法を提供する。【解決手段】室内外の境界に設けられる枠体を備えた建具であって、前記枠体は、当該枠体の室内側の領域に形成される室内側開口と、室外側の領域に形成される室外側開口とを有し、前記室外側開口の下縁を形成する部位は前記室内側開口の下縁を形成する部位より低い位置に設けられており、前記室外側開口の下縁を形成する部位の上に配置され、室内側からけんどん方式にて取り付けられる障子が載置される台座部材と、前記障子と前記台座部材とを連結するための連結部材と、を備えた。【選択図】図３
2010168831.tif 000002
【特許請求の範囲】
【請求項１】
室内外の境界に設けられる枠体を備えた建具であって、
前記枠体は、当該枠体の室内側の領域に形成される室内側開口と、室外側の領域に形成される室外側開口とを有し、前記室外側開口の下縁を形成する部位は前記室内側開口の下縁を形成する部位より低い位置に設けられており、
前記室外側開口の下縁を形成する部位の上に配置され、室内側からけんどん方式にて取り付けられる障子が載置される台座部材と、
前記障子と前記台座部材とを連結するための連結部材と、
を備えたことを特徴とする建具。
【請求項２】
請求項１に記載の建具であって、
前記連結部材は、室内側からの操作により前記障子と前記台座部材とを連結または離隔可能であり、
前記障子は、前記連結部材の室外側にて当該連結部材を覆う覆い部を有していることを特徴とする建具。
【請求項３】
請求項２に記載の建具であって、
前記障子は、閉じた状態で換気可能な通気障子であり、
前記通気障子は、四周枠組みされて障子部開口を形成する框体を有し、
前記框体に周縁部が室内側から保持された網材が前記障子部開口を覆っており、
前記覆い部は、前記網材より下側に設けられていることを特徴とする建具。
【請求項４】
請求項１乃至請求項３のいずれかに記載の建具であって、
前記枠体に取り付けられた前記障子より室外側には、前記室外側開口を前記障子の幅より狭くして、前記障子と見込み方向において重なる突出部を有していることを特徴とする建具。
【請求項５】
請求項１乃至請求項４のいずれかに記載の建具であって、
前記枠体の室外側の領域にて前記室外側開口の一部を覆うとともに、見付け方向に移動可能な可動障子を有しており、
前記可動障子は、前記台座部材が前記枠体上に載置されることにより見付け方向の移動が規制されることを特徴とする建具。
【請求項６】
請求項１乃至請求項５のいずれかに記載の建具であって、
前記連結部材は、前記台座部材が載置される前記枠体と係合することなく前記障子と前記台座部材とを連結していることを特徴とする建具。
【請求項７】
室内側の領域に形成される室内側開口と、室外側の領域に形成される室外側開口とを有する枠体の、前記室内側開口の下縁を形成する部位より低い位置に設けられた前記室外側開口の下縁を形成する部位の上に、台座部材を配置する台座配置工程と、
前記台座部上に室内側からけんどん方式にて障子を取り付ける障子取付工程と、
前記障子と前記台座部材とを連結部材にて連結する連結工程と、
を有することを特徴とする建具の取付方法。
【発明の詳細な説明】
【技術分野】
【０００１】
本発明は、室内外の境界に設けられる枠体を備えた建具および建具の取付方法に関する。
【背景技術】
【０００２】
従来、室内外の境界に設けられる枠体を備えた建具は、枠体に障子を取り付ける方法としては、例えば、障子の上端側を下端部側より前方に位置するように傾斜させた姿勢にて上枠のレールが障子の上部に設けられた溝部に挿入されるように障子の上端側を上枠に係合させた後に、障子の下端側を前方に移動させて障子をほぼ鉛直に立て、そのまま降下させて下枠のレールが障子の下部に設けられた溝部に挿入されるように取り付ける、所謂けんどん方式が知られている（例えば、特許文献１参照）。
【先行技術文献】
【特許文献】
【０００３】
【特許文献１】特開昭５４−９３８２５号公報
【発明の概要】
【発明が解決しようとする課題】
【０００４】
しかしながら、枠体には、障子を取り付ける室外側の領域に設けられたレールより、室内側の領域の部位の方が高く形成されて階段状をなす枠体が存在する。このような階段状をなす枠体に、障子を上記のようなけんどん方式にて取り付ける場合には、室内側から取り付けることができないため室外側から取り付けなければならず、作業性が悪いという課題があった。
【０００５】
本発明は、かかる課題に鑑みてなされたものであり、その目的とするところは、階段状をなす枠体であっても室内側からけんどん方式にて障子を取り付けることが可能な建具および建具の取付方法を提供することにある。
【課題を解決するための手段】
【０００６】
かかる目的を達成するために本発明の建具は、室内外の境界に設けられる枠体を備えた建具であって、前記枠体は、当該枠体の室内側の領域に形成される室内側開口と、室外側の領域に形成される室外側開口とを有し、前記室外側開口の下縁を形成する部位は前記室内側開口の下縁を形成する部位より低い位置に設けられており、前記室外側開口の下縁を形成する部位の上に配置され、室内側からけんどん方式にて取り付けられる障子が載置される台座部材と、前記障子と前記台座部材とを連結するための連結部材と、を備えたことを特徴とする建具である。
【０００７】
このような建具によれば、室外側開口の下縁の方が室内側開口の下縁より低い枠体であっても、室外側開口の下縁を形成する部材上に台座部材を配置することにより、障子を室内側からけんどん方式にて取り付けることが可能である。また、台座部材上に載置された障子は連結部材にて連結されるので、室内側から取り付けられた障子を、枠体から外れないように保持することが可能である。
【０００８】
かかる建具であって、前記連結部材は、室内側からの操作により前記障子と前記台座部材とを連結または離隔可能であり、前記障子は、前記連結部材の室外側にて当該連結部材を覆う覆い部を有していることが望ましい。
【０００９】
このような建具によれば、室内側から枠体に取り付けた障子を室内側からの操作により台座部材と連結または台座部から離隔することが可能である。このため、障子の取り付けを室内側からの作業だけで行うことが可能である。また、連結部材は室外側にて覆い部に覆われているので、室外側から障子を外すことはできない。このため防犯性に優れた建具を提供することが可能である。
【００１０】
かかる建具であって、前記障子は、閉じた状態で換気可能な通気障子であり、前記通気障子は、四周枠組みされて障子部開口を形成する框体を有し、前記框体に周縁部が室内側から保持された網材が前記障子部開口を覆っており、前記覆い部は、前記網材より下側に設けられていることが望ましい。
【００１１】
このような建具によれば、連結部材を室外側にて覆う覆い部は、障子部開口を覆う網材より下側に設けられているので、網材と覆い部とは見込み方向において干渉しない。このため、網材が設けられた障子部開口を塞ぐことなく、室内側にて連結部材を覆う覆い部を備えることが可能である。
【００１２】
かかる建具であって、前記枠体に取り付けられた前記障子より室外側には、前記室外側開口を前記障子の幅より狭くして、前記障子と見込み方向において重なる突出部を有していることが望ましい。
【００１３】
このような建具によれば、枠体に取り付けられた障子より室外側に、室外側開口を障子の幅より狭くして、障子と見込み方向において重なる突出部を有しているので、たとえ連結部材が外れて障子が台座部材から外れたとしても、室外側に設けられた突出部と障子が接触するため、障子が枠体から外れることを防止することが可能である。
【００１４】
かかる建具であって、前記枠体の室外側の領域にて前記室外側開口の一部を覆うとともに、見付け方向に移動可能な可動障子を有しており、前記可動障子は、前記台座部材が前記枠体上に載置されることにより見付け方向の移動が規制されることが望ましい。
【００１５】
このような建具によれば、室外側の領域に、見付け方向に移動可能な可動障子を備えておいても、台座部材を枠体上に載置することにより可動障子の移動を規制することが可能であり、台座部上に通気障子を載置することにより、固定された可動障子と通気障子とで室外側開口を覆うことが可能である。
【００１６】
かかる建具であって、前記連結部材は、前記台座部材が載置される前記枠体と係合することなく前記障子と前記台座部材とを連結していることが望ましい。
【００１７】
このような建具によれば、障子と台座部材とは枠体に係合することなく連結されているので、連結部材にて障子と台座部材とを連結するために枠体に孔等を設ける必要がない。このため、雨や結露などにより枠体に水分が溜まったとしても、枠体の外周側、すなわち躯体側に水分が進入することを防止することが可能である。
【００１８】
また、室内側の領域に形成される室内側開口と、室外側の領域に形成される室外側開口とを有する枠体の、前記室内側開口の下縁を形成する部位より低い位置に設けられた前記室外側開口の下縁を形成する部位の上に、台座部材を配置する台座配置工程と、前記台座部上に室内側からけんどん方式にて障子を取り付ける障子取付工程と、前記障子と前記台座部材とを連結部材にて連結する連結工程と、を有することを特徴とする建具の取付方法である。
【００１９】
このような建具の取付方法によれば、室外側開口の下縁の方が室内側開口の下縁より低い枠体であっても、障子を室内側からけんどん方式にて取り付けることが可能である。また、台座部材上に載置された障子は連結部材にて連結されるので、室内側から取り付けられた障子が枠体から外れないように保持することが可能である。
【発明の効果】
【００２０】
本発明によれば、階段状をなす枠体であっても室内側からけんどん方式にて障子を取り付けることが可能な建具および建具の取付方法を提供することが可能である。
【図面の簡単な説明】
【００２１】
【図１】本実施形態に係る建具の水平断面図である。
【図２】本実施形態に係る建具の縦断面図である。
【図３】本実施形態に係る建具におけるガラリユニットの取付方法を説明するための図である。
【発明を実施するための形態】
【００２２】
以下、本発明の一実施形態に係る建具について図面を参照して説明する。
【００２３】
本実施形態の建具１は、室内外の境界に設けられ室内外を連通する開口を形成する枠体１０と、図１〜図３に示すように枠体１０内に固定され開口の一部を閉塞し、ガラス３が嵌め付けられて見付け方向に移動しないように規制された可動障子としての外障子１５と、外障子１５にて閉塞されない領域を閉塞可能であり、枠体１０に沿って移動自在な内障子１６と、内障子１６の室外側に配置された障子としての通気可能な通気障子をなすガラリユニット２０とを備えた建具１を例に挙げて説明する。
【００２４】
外障子１５とガラリユニット２０とは、枠体１０の室外側の領域１０ａに設けられ、内障子１６は、枠体１０の室内側の領域１０ｃに設けられている。また、枠体１０は、室外側の領域１０ａに室外側開口１０ｂと、室内側の領域１０ｃに室内側開口１０ｄとが形成されており、室外側開口１０ｂの下縁を形成する部位は、室内側開口１０ｄの下縁を形成する部位より低い位置に設けられている。本実施形態では、室外側開口１０ｂの下縁を形成する部位は、枠体１０の室外側の領域１０ａに設けられた外側レール１２ａの上縁であり、室内側開口１０ｄの下縁を形成する部位は、枠体１０の室内側の窓縁部１０ｅである。
【００２５】
以下の説明においては、建具１を室内側から見たときに上下となる方向を上下方向、左右となる方向を左右方向または見付け方向、室内外方向である奥行き方向を見込み方向として示す。
【００２６】
本実施形態の建具１は、枠体１０を構成する上枠１１と下枠１２とに、それぞれ室外側の領域１０ａおよび室内側の領域１０ｃに見付け方向に沿ってレール１１ａ、１１ｂ、１２ａ、１２ｂが見付け方向の全域に渡って設けられている。
【００２７】
枠体１０には、室外側の領域１０ａに、枠体１０に設けられた外側レール１１ａ、１２ａに案内されて本来見付け方向に移動可能な可動障子であって、後述する台座部材３０にて移動が規制され、室外側開口１０ｂの左側の領域に配置されている外障子１５と、室内側の領域１０ｃに、枠体１０に設けられた内側レール１１ｂ、１２ｂに案内されて見付け方向に移動可能な内障子１６と、外障子１５を係止する台座部材３０上に載置されて、規制された外障子１５と枠体１０との間に介在されて開口部を通気可能に覆うガラリユニット２０と、が設けられている。
【００２８】
枠体１０を構成する右枠１４には、枠側アタッチメント１８が取り付けられており、枠側アタッチメント１８は、枠体１０に取り付けられたガラリユニット２０の室外側に位置させて室外側開口１０ｂの中央側に突出する突出部としての突出壁部１８ａが設けられている。
【００２９】
外障子１５は、矩形状の框体１５ａの内側に面材としてのガラス３が設けられ、室外側開口１０ｂの左側の領域に配置されて左の縦枠１３に当接された状態にて、下枠１２上に配置された台座部材３０にて移動不能に枠体１０に係止されている。すなわち、外障子１５は、台座部材３０が外障子１５と右枠１４との間に両者の間隔を維持するように取り付けられると、室外側開口１０ｂのほぼ半分から左側の領域を閉塞すると共に、見付け方向の移動が規制される。また、台座部材３０が取り外された場合には、枠体１０の上枠１１および下枠１２に設けられた外側レール１１ａ、１２ａに案内されて見付け方向に移動可能に設けられている。
【００３０】
外障子１５には、外障子１５が左枠１３に当接された際に室外側開口１０ｂの中央側に位置する縦框が、室内側の領域１０ｃに設けられた内障子１６との召合せ框１５ｂとなる。外障子１５の召合せ框１５ｂには、右枠１４側に突出する突出部としての突出壁部１９ａを形成する障子側アタッチメント１９が設けられている。障子側アタッチメント１９の突出壁部１９ａと枠側アタッチメント１８の突出壁部１８ａとは見込み方向において同じ位置に設けられて互いに対向する方向に突出している。そして、障子側アタッチメント１９の突出壁部１９ａの先端と枠側アタッチメント１８の突出壁部１８ａの先端との見付け方向における間隔は、ガラリユニット２０の見付け方向の幅より狭くなるように構成されている。
【００３１】
台座部材３０は、押出成形部材であり、室外側の領域１０ａにて下枠の外側レール１２ａの上方に位置し、見付け方向に連通する中空部でなる台座部３１と台座部材３０を下枠１２上に支持するための３本の支持脚部３１ａ、３１ｂ、３１ｃと台座部材３０上に上方に向かって突出されガラリユニット２０と係合するガラリ係合部３２とを有している。台座部材３０は、３本の支持脚部３１ａ、３１ｂ、３１ｃのうちの室内側に設けられた２本の支持脚部３１ａ、３１ｂが下枠１２と係合して取り付けられる。台座部材３０は取り付けられた状態にて、台座部材３０の上面３０ａが、下枠１２の室内側の領域１０ｃに設けられた内側レール１２ｂの上縁とほぼ同じ高さをなすように構成されている。また、上面部３３には台座部材３０上に載置されるガラリユニット２０と連結するためのボルト８が締め込まれるボルト孔（不図示）が形成されている。
【００３２】
ガラリユニット２０は、上下２本の横框２１、２２と見付け方向に間隔を隔てて配置される２本の縦框２３、２４とが矩形状に枠組みされた框体２５を有し、２本の縦框２３、２４に掛け渡すように、角度を変更不能に固定された複数の羽板２６が設けられている。上框２１には、上枠１１に設けられた外側レール１１ａが挿入される上溝部２１ｂを有する摺動部材２１ａが設けられている。
【００３３】
下框２２には、見込み方向におけるほぼ中央に室内外を仕切る中央壁部２２ａを有し、中央壁部２２ａの下端から室内側にほぼ水平に延出された延出部２２ｂと、延出部２２ｂの室内側の部位が下方に伸ばされた室内側脚部２２ｃと、中央壁部２２ａの下端から室外側に向かって高さが低くなる傾斜を有する傾斜部２２ｄと、傾斜部２２ｄの室外側の部位が下方に伸ばされた室外側脚部２２ｅと、中央壁部２２ａの上端から室内側に延出されて、中央壁部２２ａの室内側の空間の上方を覆う上カバー部２２ｆと、を有している。
【００３４】
ガラリユニット２０の下框２２の室内側脚部２２ｃと室外側脚部２２ｅとは、ガラリユニット２０が台座部材３０上に載置された際に、台座部材３０が有する３本の支持脚部３１ａ、３１ｂ、３１ｃのうちの室内側と室外側とに設けられた２本の支持脚部３１ａ、３１ｃとほぼ直線上に位置するように配置される。また、室外側脚部２２ｅの下端は室内側に延出された下係合部２２ｇを有しており、下係合部２２ｇはガラリユニット２０が台座部材３０上に載置された際に、台座部材３０が有するガラリ係合部３２と係合してガラリユニット２０の室内側への移動を規制する。延出部２２ｂには、台座部材３０とガラリユニット２０と連結するためのボルト８が貫通される貫通孔（不図示）が設けられている。
【００３５】
ここで、上溝部２１ｂは、外側レール１１ａが挿入された状態で上方に持ち上げて外側レール１１ａの下端を上溝部２１ｂの底に当接させた状態で、ガラリユニット２０の下端が下枠１２の室内側の領域１０ｃと接触することなく台座部材３０のガラリ係合部３２の上縁より上方に位置するような深さに形成されている。
【００３６】
矩形状の框体２５として枠組みされた框体２５の２本の縦框２３、２４の間には、複数の羽板２６が上下方向に間隔を隔てて設けられている。また、矩形状に枠組みされた上下の横框２１、２２と左右の縦框２３、２４には、枠組みされた内周側に、室内側に開放された凹部２５ａが全周に渡って設けられており、室内側にて框体２５の内側に形成される障子部開口２０ａを覆うように張設された防虫用の網材２７の周端部と、網材２７を固定するための網戸ロープ２８とが収容されている。ここで、下框２２に設けられた凹部２５ａは、上カバー部２２ｆと一体に設けられておりため、中央壁部２２ａより室内側の空間の上部に位置している。
【００３７】
ガラリユニット２０の取り付け方法は、まず、室外側の領域１０ａに設けられた外障子１５を室内側から見て左側の領域に移動させ、左側の縦枠１３に当接させておく。このとき、右枠１４には枠側アタッチメント１８が、外障子１５の召合せ框１５ｂには框側アタッチメント１９がそれぞれ固定されている。
【００３８】
次に、室外側の領域１０ａの下枠１２上であって外障子１５と右枠１４との間に台座部材３０を配置する（台座配置工程）。台座部材３０が取り付けられることにより外障子１５は見付け方向の移動が規制される。
【００３９】
次に、室内側からガラリユニット２０の上端側が下端側より室外側に位置するように傾斜させつつ枠体１０内の開口に進入させ、外側レール１１ａをガラリユニット２０の上溝部２１ｂに挿入させる。その後、ガラリユニット２０を上方に持ち上げつつ下端部側を室外側に移動させて、台座部材３０上にて降下させて、所謂けんどん方式にてガラリユニット２０を台座部材３０上に載置する（障子取付工程）。
【００４０】
その後、連結部材としてのボルト８を室内側からガラリユニット２０の貫通孔に貫通させて台座部材３０のボルト孔に締め込んでガラリユニット２０と台座部材３０とを連結する（連結工程）。
【００４１】
本実施形態の建具１によれば、室外側開口１０ｂの下縁となる外側レール１２ａの上縁の方が室内側開口１０ｄの下縁となる窓縁部１０ｅの上面より低い枠体１０であっても、室外側開口１０ｂの下縁を形成する外側レール１２ａ上に台座部材３０を配置することにより、ガラリユニット２０を室内側からけんどん方式にて取り付けることが可能である。また、台座部材３０上に載置されたガラリユニット２０はボルト８にて台座部材３０と連結されるので、室内側から取り付けられたガラリユニット２０が枠体１０外れないように保持することが可能である。
【００４２】
また、室内側から枠体１０に取り付けたガラリユニット２０を室内側からの操作により台座部材３０と連結または台座部材３０から離隔することが可能である。このため、ガラリユニット２０の着脱作業を室内側からの作業だけで行うことが可能である。また、ガラリユニット２０と台座部材３０とを連結しているボルト８は覆い部としての上カバー部２２ｆ及び中央壁部２２ａにより囲まれており、室外側から操作不能なので、室外側からガラリユニット２０を外すことはできない。このため防犯性に優れた建具１を提供することが可能である。
【００４３】
また、網材２７は、ボルト８を室外側から操作不能に覆い、ボルト８が配置される中央壁部２２ａより室内側の空間の上部を覆う上カバー部２２ｆに設けられた凹部２５ａに取り付けられているので、網材２７と中央壁部２２ａ及び上カバー部２２ｆとは見込み方向において干渉しない。このため、網材２７が設けられた障子部開口２０ａを塞ぐことなく、室内側から操作可能なボルト８を覆うことが可能である。
【００４４】
また、枠体１０に取り付けられたガラリユニット２０より室外側に、室外側開口１０ｂの幅をガラリユニット２０の幅より狭くする、障子側アタッチメント１９の突出壁部１９ａと枠側アタッチメント１８の突出壁部１８ａとを有しているので、たとえボルト８が外れてガラリユニット２０が台座部材３０から外れたとしても、ガラリユニット２０は室外側に設けられた突出壁部１８ａ、１９ａに接触するため、ガラリユニット２０が室外側に外れることを防止することが可能である。
【００４５】
また、室外側の領域１０ａに、本来見付け方向に移動可能な外障子１５を備えておいても、台座部材３０により外障子１５の移動を規制して移動しない構成として、台座部材３０上にガラリユニット２０を載置することにより、外障子１５とガラリユニット２０とにて室外側開口１０ｂを覆うことが可能である。
【００４６】
また、ガラリユニット２０と台座部材３０とは枠体１０に係合することなく連結されているので、ボルト８にてガラリユニット２０と台座部材３０とを連結するために枠体１０に孔等を設ける必要がない。このため、雨や結露などにより枠体１０に水分が溜まったとしても、枠体１０より外周側、すなわち躯体側に水分が進入することを防止することが可能である。
【００４７】
また、本実施形態の建具１の取付方法によれば、室外側開口１０ｂの下縁の方が室内側開口１０ｄの下縁より低い枠体１０であっても、ガラリユニット２０を室内側からけんどん方式にて取り付けることが可能である。また、台座部材３０上に載置されたガラリユニット２０をボルト８にて連結するので、室内側から取り付けられたガラリユニット２０が外れないように保持することが可能である。
【００４８】
上記実施形態においては、外障子１５の右に設けられる障子をガラリユニット２０としたが、これに限らず、面格子などの面材を備えた形態であっても構わない。
【００４９】
上記実施形態においては、ガラリユニット２０が備える複数の羽板２６が、角度を変更不能に固定されている例について説明したが、複数の羽板は回動自在に支持されていても良い。
【００５０】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５１】
１  建具、８  ボルト、１０  枠体、１０ａ  室外側の領域、１０ｂ  室外側開口、１０ｃ  室内側の領域、１０ｄ  室内側開口、１０ｅ  窓縁部、１２ａ  外側レール、１２ｂ  内側レール、１５  外障子(可動障子)、１５ａ  框体、１６  内障子、１８  枠側アタッチメント、１８ａ  突出壁部、１９  框側アタッチメント、１９ａ  突出壁部、２０  ガラリユニット、２０ａ  障子部開口、２２ａ  中央壁部、２２ｆ  上カバー部、２７  網材、３０  台座部材
【図１】
2010168831.tif 000003
【図２】
2010168831.tif 000004
【図３】
2010168831.tif 000005